(57)【要約】      （修正有）【課題】下部貯水空間の空気抜き対策を講じた高低差のある２つのタンクを設けた便器洗浄タンクを提供する。【解決手段】便器洗浄タンクＡは、下部貯水空間と、下部貯水空間から上方へ突出した形態の上部貯水空間３４と、上端が上部貯水空間３４内で開口するオーバーフロー用排水路４０と、上流端が下部貯水空間に連通し、下流端がオーバーフロー用排水路４０に臨む空気抜き流路４７とを備える。【選択図】図５
2014114636.tif 000002
【特許請求の範囲】
【請求項１】
下部貯水空間と、
前記下部貯水空間から上方へ突出した形態の上部貯水空間と、
上端が前記上部貯水空間内で開口するオーバーフロー用排水路と、
上流端が前記下部貯水空間に連通し、下流端が前記オーバーフロー用排水路に臨む空気抜き流路とを備えていることを特徴とする便器洗浄タンク。
【請求項２】
下部貯水空間と、
前記下部貯水空間から上方へ突出した形態の上部貯水空間と、
上端が前記上部貯水空間内で開口し、下端が前記便鉢部に臨むオーバーフロー用排水路と、
前記下部貯水空間から便器本体に至る洗浄水の流路を構成する便器給水路と、
上流端が前記便器給水路に連通し、下流端が前記オーバーフロー用排水路に臨む水抜き流路と、
前記水抜き流路の途中に設けられた水抜きポンプとを備えていることを特徴とする便器洗浄タンク。
【請求項３】
前記空気抜き流路の一部が、前記上部貯水空間の満水時の設定貯水位よりも高い位置に配置されていることを特徴とする請求項１記載の便器洗浄タンク。
【請求項４】
前記水抜き流路の一部が、前記上部貯水空間の満水時の設定貯水位よりも高い位置に配置されていることを特徴とする請求項２記載の便器洗浄タンク。
【請求項５】
前記オーバーフロー用排水路における前記空気抜き流路との連通位置が、前記上部第１タンクの満水時の設定貯水位よりも高い位置であることを特徴とする請求項３記載の便器洗浄タンク。
【請求項６】
前記オーバーフロー用排水路における前記水抜き用流路との連通位置が、前記上部貯水空間の満水時の設定貯水位よりも高い位置であることを特徴とする請求項４記載の便器洗浄タンク。
【発明の詳細な説明】
【技術分野】
【０００１】
本発明は、便器洗浄タンクに関する。
【背景技術】
【０００２】
特許文献１には、水洗式大便器において、便鉢部に吐水される洗浄水を貯留するための便器洗浄タンクを収容する構造が開示されている。便器本体には、便鉢部より後方において上方へ開放された後部空間が形成され、便器洗浄タンクは、この後部空間内に落とし込むように収容されている。便器洗浄タンクは、便鉢部よりも後方の領域のみに配置されているので、貯水容量を大きくするためには、便器洗浄タンクを上方へ拡大するか、便器洗浄タンクの平面視形状を大きくする必要がある。
【０００３】
しかし、前者の方法では、便鉢部の後方で、便器洗浄タンクが便鉢部から上方へ大きく突出した形態となり、便器洗浄タンクが嵩高になってしまう。また、後者の方法では、水洗式大便器の平面視形状が前後方向あるいは左右方向に大きくなってしまう。この対策としては、便器本体の内部空間のうち便鉢部の下方がデッドスペースとなっていることに着眼し、このデッドスペースを、後部空間と連通させることにより、便器洗浄タンクを収容するための収容空間の一部として有効利用することが考えられる。
【０００４】
この場合、便器洗浄タンクの形態も変更を要する。具体的には、便器洗浄タンクを、デッドスペースと後部空間の下端側領域とに亘って収容される下部貯水空間と、下部貯水空間の後端部から上方へ立ち上がって後部空間の上端側領域に収容される上部貯水空間とで構成する。上部貯水空間には、洗浄水の給水管を接続するための給水口を設け、給水口から供給した洗浄水を上部貯水空間と下部貯水空間に貯留する。便器洗浄の際には、両貯水空間に貯留されている洗浄水を、洗浄ポンプで吸い上げて便鉢部に吐水する。
【先行技術文献】
【特許文献】
【０００５】
【特許文献１】特開２００８−２４０４０２号公報
【発明の概要】
【発明が解決しようとする課題】
【０００６】
発明が解決しようとする第１の課題を説明する。上記形態の便器洗浄タンクは、上部貯水空間を便鉢部上端よりも上方まで立ち上げれば、上部貯水空間の貯水容量を増大させることができる。この場合、この上部貯水空間に連通するオーバーフロー用排水路を設ければ、このオーバーフロー用排水路を通してオーバーフロー水を便鉢部へ排出することができる。
【０００７】
このように２つのタンクに高低差を設けた場合、給水口が設けられていない下部貯水空間には、給水口から洗浄水が供給される過程で空気を逃がすための空気抜き手段を設ける必要がある。空気抜き手段としては、下部貯水空間の上端に、空気抜き孔を開口させることが考えられる。しかし、この空気抜き孔の位置は、上部貯水空間の満水時の設定貯水位よりも低いため、給水口から洗浄水が給水される過程で、空気抜き孔から洗浄水が溢れ出てしまう。第１の発明は、高低差のある２つのタンクを設けた便器洗浄タンクにおいて、低い方の下部貯水空間の空気抜き対策を課題としている。
【０００８】
次に、発明が解決しようとする第２の課題を説明する。上記形態の便器洗浄タンクでは、下部貯水空間から便器本体に至る便器給水路内を水抜きする場合、水抜き流路の上流端を便器給水路に連通させ、水抜きポンプで吸い上げた水を、洗浄時と同じく、便鉢部のリム通水路に排水することが望ましい。しかし、水抜き流路の下流端をリム通水路に臨ませようとすると、水抜き流路とリム通水路との接続部分にシール構造が必要となる。そのため、部品数が多くなったり、構造が複雑になったりする問題が生じる。第２の発明は、水抜き流路を便鉢部に臨ませることなく、便器給水路の水抜き経路を確保することを課題としている。
【課題を解決するための手段】
【０００９】
第１の発明の便器洗浄タンクは、
下部貯水空間と、
上端が前記上部第１タンク内で開口するオーバーフロー用排水路と、
上流端が前記下部貯水空間に連通し、下流端が前記オーバーフロー用排水路に臨む空気抜き流路とを備えていることを特徴とする。
【００１０】
第２の発明の便器洗浄タンクは、
下部貯水空間と、
前記下部貯水空間から上方へ突出した形態の上部貯水空間と、
上端が前記上部貯水空間内で開口し、下端が前記便鉢部に臨むオーバーフロー用排水路と、
前記下部貯水空間から便器本体に至る洗浄水の流路を構成する便器給水路と、
上流端が前記便器給水路に連通し、下流端が前記オーバーフロー用排水路に臨む水抜き流路と、
前記水抜き流路の途中に設けられた水抜きポンプとを備えていることを特徴とする。
【発明の効果】
【００１１】
第１の発明によれば、洗浄水が上部貯水空間と下部貯水空間に供給される過程で、下部貯水空間内では、空気が空気抜き流路を通って排出されながら、洗浄水の水位が上昇する。下部貯水空間の空気抜き手段である空気抜き流路は、下流端をオーバーフロー用排水路に臨ませているので、下部貯水空間内の洗浄水が不正に溢れ出ることはない。
【００１２】
第２の発明によれば、水抜き流路を、既存のオーバーフロー用排水路に連通させているので、水抜き流路を便鉢部に臨ませることなく、便器給水路の水抜き経路を確保することができる。
【図面の簡単な説明】
【００１３】
【図１】実施例１の便器洗浄タンクを斜め前方から視た斜視図
【図２】便器洗浄タンクを斜め後方から視た斜視図
【図３】便器洗浄タンクを組み付けた水洗式大便器の断面図
【図４】便器洗浄タンクを組み付けた水洗式大便器の断面図
【図５】便器洗浄タンクの部分拡大断面図
【図６】洗浄用吐水路の分解斜視図
【図７】実施例２の便器洗浄タンクの部分拡大断面図
【発明を実施するための形態】
【００１４】
第１の発明の便器洗浄タンクは、
前記空気抜き流路の一部が、前記上部貯水空間の満水時の設定貯水位よりも高い位置に配置されていてもよい。
この構成によれば、洗浄水が上部貯水空間と下部貯水空間に供給される過程で、下部貯水空間内の洗浄水が、空気抜き流路内をオーバーフロー用排水路に向かって流動しても、その洗浄水は、上部貯水空間の満水時の設定貯水位と同じ高さに到達した時点で、それ以上の流動を停止する。したがって、下部貯水空間内の洗浄水がオーバーフロー用排水路へ排出されることはない。
【００１５】
第１の発明の便器洗浄タンクは、
前記オーバーフロー用排水路における前記空気抜き流路との連通位置が、前記上部貯水空間の満水時の設定貯水位よりも高い位置であってもよい。
この構成によれば、洗浄水が上部貯水空間と下部貯水空間に供給される過程で、下部貯水空間内の洗浄水が、空気抜き流路内をオーバーフロー用排水路に向かって流動しても、その洗浄水は、オーバーフロー用排水路に到達する前に上部貯水空間の満水時の設定貯水位と同じ高さに到達し、その時点で、それ以上の流動を停止する。したがって、下部貯水空間内の洗浄水がオーバーフロー用排水路へ排出されることはない。
【００１６】
第２の発明の便器洗浄タンクは、
前記水抜き流路の一部が、前記上部貯水空間の満水時の設定貯水位よりも高い位置に配置されていてもよい。
この構成によれば、水抜きポンプの内部が通水自由な状態になった場合に、洗浄水が上部貯水空間と下部貯水空間に供給される過程で、便器給水路内の水が、水抜き流路内をオーバーフロー用排水路に向かって流動することが懸念される。しかし、その水は、上部貯水空間の満水時の設定貯水位と同じ高さに到達した時点で、それ以上の流動を停止する。したがって、便器給水路内の洗浄水がオーバーフロー用排水路へ排出されることはない。
【００１７】
第２の発明の便器洗浄タンクは、
前記オーバーフロー用排水路における前記水抜き用流路との連通位置が、前記上部貯水空間の満水時の設定貯水位よりも高い位置であってもよい。
この構成によれば、洗浄水が上部貯水空間と下部貯水空間に供給される過程で、便器給水路内の洗浄水が、水抜き流路内をオーバーフロー用排水路に向かって流動しても、その洗浄水は、オーバーフロー用排水路に到達する前に上部貯水空間の満水時の設定貯水位と同じ高さに到達し、その時点で、それ以上の流動を停止する。したがって、便器給水路内の洗浄水がオーバーフロー用排水路へ排出されることはない。
【００１８】
＜実施例１＞
以下、本発明を具体化した実施例１を図１〜図６を参照して説明する。本実施例１の便器洗浄タンクＡは、便鉢部１１を有する便器本体１０に取り付けられて水洗式大便器を構成するものであり、便鉢部１１に吐水する洗浄水Ｗを貯留する手段としての機能を有する。洗浄水Ｗとしては、水道水の他に、井戸水や中水が利用される。
【００１９】
＜便器本体１０＞
便器本体１０は、陶器製であって、図３に示すように、便鉢部１１と、便鉢部１１の下流側に連通した便器排水管部１２と、便鉢部１１を全周に亘って包囲する周壁部１３とを一体に形成したものである。便鉢部１１は、その上端周縁に沿って形成したリム通水路１４を有している。便器排水管部１２は、周壁部１３の内部に配置され、便鉢部１１から斜め下後方に延びる第１下降流路１５と、第１下降流路１５から斜め上後方に延びる上昇流路１６と、上昇流路１６からほぼ垂直下向きに延びる第２下降流路１７とを有する。第２下降流路１７の下端には排水接続管１８の上端が接続されている。
【００２０】
排水接続管１８の下端は、床面Ｆに引き出された排水管１９に接続されている。便器排水管部１２と排水接続管１８と排水管１９は、便鉢部１１内の貯留水、便鉢部１１に吐水された洗浄水Ｗ及び汚物を排出するための洗浄用排水路２０を構成している。便鉢部１１の封水面２１よりも下方の部分と第１下降流路１５と上昇流路１６は、封水部２２を構成している。
【００２１】
便器本体１０の周壁部１３は、便器本体１０の上面の外周縁より外側に広がらずに下方に延びており、周壁部１３の下端は、その全周に亘って床面Ｆに接している。便器本体１０の内部には、便鉢部１１の下面における最下端よりも前方の領域と、周壁部１３の左右両側面壁における前端側領域とを繋げた形態の補強壁部２３が、一体に形成されている。便器本体１０の内部には、第２下降流路１７の外面と、周壁部１３の内面とを繋ぐ形態の略水平な支持壁部２４が、一体に形成されている。
【００２２】
支持壁部２４は、便鉢部１１から片持ち状に突出した形態の第２下降流路１７が、便器本体１０の成形工程で自重により下方へ変形するのを防止するために形成したものである。支持壁部２４には、第２下降流路１７を挟むように配された左右一対の貫通孔（図示省略）が形成されている。右側の貫通孔には、洗浄ポンプ５０の便器給水路５１と空気抜き流路４７と水抜き流路６０が貫通される。左側の貫通孔には下部貯水空間３０と上部貯水空間３４を接続する連通路３５が貫通される。
【００２３】
便器本体１０の内部空間のうち便鉢部１１よりも後方の領域には、便器洗浄タンクＡを収容するために設けた後部空間２５が形成されている。後部空間２５は、左右両側と後側が周壁部１３で区画されているとともに、上方及び下方に開放された形態である。後部空間２５内には、上記した支持壁部２４と、洗浄用排水路２０のうち第１下降流路１５と上昇流路１６の上流端側の部分を除いた部分が配置されている。
【００２４】
便器本体１０の内部空間のうち便鉢部１１の下方であって補強壁部２３よりも後方の領域は、下方に開放されたデッドスペース２６となっている。便鉢部１１の下方にデッドスペース２６が存在するのは、便座（図示省略）の適正な高さと、便鉢部１１内における適正な封水面２１の高さと、封水部２２に貯留される水量等を勘案して便鉢部１１を設計したことによる。デッドスペース２６内には、洗浄用排水路２０のうち第１下降流路１５と上昇流路１６の上流端側の部分が収容されている。デッドスペース２６は、その後端において後部空間２５と連通しており、デッドスペース２６と後部空間２５は便器洗浄タンクＡを収容するための収容空間として機能する。
【００２５】
＜便器洗浄タンクＡ＞
便器洗浄タンクＡは、図１，２に示すように、下部貯水空間３０、上部貯水空間３４、オーバーフロー用排水路４０、空気抜き流路４７、洗浄ポンプ５０、便器給水路５１、洗浄用吐水路５４、水抜き流路６０、及び水抜きポンプ６２を備えて構成されている。下部貯水空間３０と上部貯水空間３４は、洗浄水Ｗを貯留するためのものであり、互いに連通して１つの貯水スペースを構成している。
【００２６】
＜下部貯水空間３０＞
図３に示すように、下部貯水空間３０は、便器本体１０の内部空間のうちデッドスペース２６と後部空間２５のうちの支持壁部２４よりも下方の下端側領域内に収容される。下部貯水空間３０の後端部は、二股状に分岐した左右一対の分岐部３１Ｌ，３１Ｒとなっている。左側の分岐部３１Ｌには、上方へ盛り上がった形態の左貯水部３２Ｌが形成され、右側の分岐部３１Ｒには、上方へ盛り上がった形態の右貯水部３２Ｒが形成されている。
【００２７】
下部貯水空間３０のうち分岐部３１Ｌ，３１Ｒ及び左右両貯水部３２Ｌ，３２Ｒよりも前方の部分は、デッドスペース２６内に配置される。左右両分岐部３１Ｌ，３１Ｒと左右両貯水部３２Ｌ，３２Ｒは、後部空間２５のうち支持壁部２４よりも下方に配置される。下部貯水空間３０の底面には、便器給水路５１の上流端の吸水口５２が臨んでいる。吸水口５２には、下部貯水空間３０から便器給水路５１側への洗浄水Ｗの流出は許容するが、便器給水路５１から下部貯水空間３０側への洗浄水Ｗの逆流を阻止するための逆止弁５３が設けられている。
【００２８】
＜上部貯水空間３４＞
図１，２に示すように、上部貯水空間３４は、左貯水部３２Ｌよりも上方に配置される。上部貯水空間３４の下端と下部貯水空間３０（左貯水部３２Ｌ）の上端は、連通路３５を介して連通している。上部貯水空間３４の下端側部分は、後部空間２５のうち支持壁部２４よりも上方の領域に配置され、上部貯水空間３４の上端側部分は、後部空間２５（便鉢部１１の上端）よりも上方に突出した形態で配置される。
【００２９】
上部貯水空間３４の上端面には、洗浄水を上部貯水空間３４内に供給するための給水口３６が設けられている。給水口３６には、タンク給水路（図示省略）が接続される。また、上部貯水空間３４の上端面には、フロートスイッチ３７が取り付けられている。このフロートスイッチ３７は、上部貯水空間３４内が満水状態であるか否かを検知し、その検知信号に応じて、タンク給水路に設けた開閉弁（図示省略）が開閉する。これにより、便器洗浄タンクＡ内に所定量の洗浄水Ｗが貯水される。図５に示すように、便器洗浄タンクＡ内の洗浄水Ｗが満水状態になったときの設定貯水位Ｌａは、上部貯水空間３４の上端よりも少し低い位置に設定されている。
【００３０】
上部貯水空間３４の上端面には、吸排気部３８が設けられている。吸排気部３８は、上部貯水空間３４内に洗浄水を供給する際に、便器洗浄タンクＡ内の空気を大気中に排出する。また、吸排気部３８は、便器洗浄タンクＡ内の洗浄水Ｗが便鉢部１１側へ排出される際に、大気中から空気を上部貯水空間３４内に流入させる。したがって、この吸排気部３８により、便器洗浄タンクＡへの洗浄水Ｗの貯留動作が円滑に行われるとともに、便器洗浄タンクＡ内に貯留した洗浄水Ｗの便鉢部１１側への吐水が円滑に行われる。
【００３１】
＜オーバーフロー用排水路４０＞
図５に示すように、オーバーフロー用排水路４０は、オーバーフロー用流入室４１とオーバーフロー管４２とを備えて構成されている。オーバーフロー用流入室４１は、上部貯水空間３４の内部に形成されている。オーバーフロー用流入室４１の上端面は、上部貯水空間３４内で受入口４３として上向きに開口している。受入口４３は、水平方向において給水口３６から外れた位置に配置（図示省略）されている。オーバーフロー用流入室４１は、上部貯水空間３４の外壁部の内面に連なる隔壁部４４により、給水口３６から流入する洗浄水Ｗの流下経路（図示省略）から区画されている。
【００３２】
オーバーフロー用流入室４１（オーバーフロー用排水路４０）の上端の受入口４３は、上部貯水空間３４における満水時の設定貯水位Ｌａよりも高く、且つ吸排気部３８よりも低い高さに設定されている。オーバーフロー用流入室４１の下端部には、上部貯水空間３４の外壁部を貫通した形態の流出口４５が形成されている。この流出口４５には、上部貯水空間３４の外部に配置したオーバーフロー管４２の上流端が接続されている。上部貯水空間３４内の水位が、満水時の設定貯水位Ｌａを超え、更に受入口４３を超えた高さまで上昇すると、上部貯水空間３４内の洗浄水Ｗが受入口４３からオーバーフロー用流入室４１内に流入し、オーバーフロー管４２を通って便鉢部１１へ排出される。上記した下部貯水空間３０の右貯水部３２Ｒの上端の高さは、上部貯水空間３４の上端、オーバーフロー用排水路４０の上端の開口、及び便鉢部１１の上端よりも低い位置に設定されている。
【００３３】
＜空気抜き流路４７＞
本実施例１では、下部貯水空間３０のうち最も高い部分である右貯水部３２Ｒと、上部貯水空間３４との間に高低差を設けているため、低い方の右貯水部３２Ｒには、給水口３６から洗浄水Ｗが供給される過程で空気を逃がすための空気抜き手段を設ける必要がある。空気抜き手段としては、右貯水部３２Ｒの上端に空気抜き孔（図示省略）を開口させることが考えられる。しかし、この場合、空気抜き孔の位置は上部貯水空間３４の満水時の設定貯水位Ｌａよりも低いので、洗浄水Ｗの給水過程で空気抜き孔から洗浄水Ｗが溢れ出てしまう。
【００３４】
そこで本実施例１では、右貯水部３２Ｒ（下部貯水空間３０）の上端をオーバーフロー用排水路４０に連通させている。具体的には、図１に示すように、右貯水部３２Ｒの上端面に、可撓性を有するホースからなる空気抜き流路４７の上流端を接続している。そして、空気抜き流路４７の下流端は、上部貯水空間３４の外壁部を貫通し、空気抜き用流入口４８としてオーバーフロー用流入室４１内に直接臨むように接続している。この空気抜き用流入口４８（オーバーフロー用流入室４１（オーバーフロー用排水路４０）における空気抜き流路４７との連通位置）の高さは、上部貯水空間３４の満水時の設定貯水位Ｌａよりも高く、且つオーバーフロー用排水路４０の上端の開口よりも低い位置に設定されている。
【００３５】
便器洗浄タンクＡ内に洗浄水Ｗを貯水する過程では、右貯水部３２Ｒ内の水位が上昇するのに伴い、右貯水部３２Ｒ内の空気が、空気抜き流路４７とオーバーフロー用流入室４１を順に通り、吸排気部３８から大気中（便器洗浄タンクＡの外部）に逃がされる。したがって、右貯水部３２Ｒ内には、上部に空気溜まりを生じさせることなく、満水状態で洗浄水Ｗが貯留される。
【００３６】
＜洗浄ポンプ５０、便器給水路５１＞
図１，２に示すように、洗浄ポンプ５０は、右貯水部３２Ｒよりも上方に配置されている。洗浄ポンプ５０の下面から延びた便器給水路５１は、その下端部において屈曲し、下部貯水空間３０の下面に沿って配索されている。この便器給水路５１は、下部貯水空間３０から便器本体１０（便鉢部１１）に至る洗浄水Ｗの流路（給水経路）を構成する。図３に示すように、便器給水路５１の上流端は、上記した吸水口５２と逆止弁５３を介して下部貯水空間３０内に連通可能となっている。便器洗浄タンクＡ（下部貯水空間３０）内に貯留されている洗浄水Ｗは、洗浄ポンプ５０により、給水口３６から便器給水路５１を通して吸い上げられ、後述する洗浄用吐水路５４を通して便鉢部１１へ吐水される。
【００３７】
＜洗浄用吐水路５４＞
洗浄用吐水路５４は、上流端が洗浄ポンプ５０の吐出口（図示省略）に接続された第１吐水管５５と、第１吐水管５５の下流端に接続された継手５６と、継手５６の二股に分岐した下流端に接続された左右一対の分岐管５７Ｌ，５７Ｒとから構成されている。分岐管５７Ｌ，５７Ｒの先端部（下流端部）には、夫々、吐水口が開口している。両吐水口は、便鉢部１１の上端縁に沿って形成したリム通水路１４に臨むように配置されている。図６に示すように、左右両分岐管５７Ｌ，５７Ｒのうち左側の分岐管５７Ｌの途中には、その外周を包囲するとともにリム通水路１４に開口する接続筒部５８が形成されている。この接続筒部５８には、上記したオーバーフロー管４２の下流端部が連通状態で接続されている。これにより、オーバーフロー管４２に流入した洗浄水Ｗは、接続筒部５８を通ってリム通水路１４に排出される。
【００３８】
また、リム通水路１４に臨む左右両分岐管５７Ｌ，５７Ｒの上流側は、洗浄ポンプ５０に接続されているため、虫等の異物が分岐管５７Ｌ，５７Ｒに侵入しても、その異物が便器洗浄タンクＡ内に到達することはない。これに対し、分岐管５７Ｌ，５７Ｒと同じくリム通水路１４に臨むオーバーフロー用排水路４０は、その途中に、異物の侵入を遮る部位や部材が存在しない。そのため、接続筒部５８から侵入した異物が、便器洗浄タンクＡ内に到達してしまうことが懸念される。そこで、本実施例１では、左側の分岐管５７Ｌの外周に、フランジ状のフィルタ５９を形成している。このフィルタ５９は、網状に形成され、接続筒部５８の開口を覆うように組み付けられる。このフィルタ５９により、オーバーフロー用排水路４０から洗浄水Ｗの流出は許容するが、固形状の異物がオーバーフロー用排水路４０に浸入することは阻止される。
【００３９】
＜水抜き流路６０、水抜きポンプ６２＞
本実施例１では、洗浄水Ｗを便鉢部１１側へ吐水し終わった直後に、下部貯水空間３０から洗浄ポンプ５０に至る便器給水路５１内の洗浄水Ｗを切らさないようにするための手段として、下部貯水空間３０に臨む吸水口５２に逆止弁５３を設けている。そこで、便器給水路５１内を水抜きするために、可撓性を有するホースからなる水抜き流路６０と、専用の水抜きポンプ６２を設けている。水抜き流路６０の上流端は便器給水路５１の下端部に連通されており、水抜きポンプ６２で吸い上げた便器給水路５１内の洗浄水Ｗは、洗浄時と同じく、便鉢部１１のリム通水路１４に排水させるようになっている。しかし、水抜き流路６０の下流端をリム通水路１４に臨ませようとすると、水抜き流路６０とリム通水路１４との接続部分にシール構造が必要となる。そのため、部品数が多くなったり、構造が複雑になったりする問題が生じる。
【００４０】
そこで本実施例１では、水抜き流路６０の下流端を、直接リム通水路１４に臨ませるのではなく、リム通水路１４に接続されている既存のオーバーフロー用排水路４０に臨ませている。具体的には、図５に示すように、水抜き流路６０の下流端は、上部貯水空間３４の外壁部を貫通し、水抜き用流入口６１としてオーバーフロー用流入室４１内に直接臨むように接続している。水抜き用流入口６１（オーバーフロー用流入室４１（オーバーフロー用排水路４０）における水抜き流路６０との連通位置）の高さは、空気抜き用流入口４８と同じく、上部貯水空間３４の満水時の設定貯水位Ｌａよりも高く、且つオーバーフロー用排水路４０の上端の開口よりも低い位置に設定されている。
【００４１】
水抜き流路６０の途中には、水抜きポンプ６２が設けられている。水抜きポンプ６２は、支持壁部２４よりも上方であって、洗浄ポンプ５０に隣接するように配置されている。水抜きポンプ６２を作動させると、便器給水路５１内の洗浄水Ｗが、水抜き流路６０内に吸い上げられ、オーバーフロー用流入室４１に流入し、オーバーフロー管４２を通ってリム通水路１４内に排出される。
【００４２】
＜実施例１の作用、効果＞
本実施例１の便器洗浄タンクＡは、洗浄水Ｗが上部貯水空間３４と下部貯水空間３０に供給される過程で、供給された洗浄水Ｗの一部が下部貯水空間３０を介して右貯水部３２Ｒ内に流入するが、この間、右貯水部３２Ｒ内では、空気が空気抜き流路４７を通って排出されながら、洗浄水Ｗの水位が上昇する。右貯水部３２Ｒの空気抜き手段である空気抜き流路４７は、下流端をオーバーフロー用排水路４０に臨ませているので、右貯水部３２Ｒ内の洗浄水Ｗが不正に溢れ出ることはない。
【００４３】
また、本実施例１の便器洗浄タンクＡは、オーバーフロー用排水路４０における空気抜き流路４７との連通位置（つまり、空気抜き流路４７の一部）である空気抜き用流入口４８が、上部貯水空間３４の満水時の設定貯水位Ｌａよりも高い位置に配置されている。したがって、洗浄水Ｗが上部貯水空間３４と下部貯水空間３０に供給される過程で、右貯水部３２Ｒ内の洗浄水Ｗが空気抜き流路４７内をオーバーフロー用排水路４０に向かって流動しても、その洗浄水Ｗは、上部貯水空間３４の満水時の設定貯水位Ｌａと同じ高さに到達した時点で、それ以上の流動を停止する。したがって、右貯水部３２Ｒ内の洗浄水Ｗがオーバーフロー用排水路４０へ排出されることはない。
【００４４】
また、本実施例１の便器洗浄タンクＡは、水抜き流路６０をオーバーフロー用排水路４０に連通させることにより、便器給水路５１内の洗浄水Ｗを、水抜きポンプ６２により水抜き流路６０とオーバーフロー用排水路４０を順に通過させて便鉢部１１に排出している。このように、便器給水路５１から便鉢部１１に至る水抜き経路として既存のオーバーフロー用排水路４０を利用しているので、便器給水路５１の水抜き経路を、洗浄用吐水路５４と干渉することなく確保することが実現されている。
【００４５】
また、本実施例１の便器洗浄タンクＡの場合、水抜きポンプ６２の内部が通水自由な状態になった場合に、洗浄水Ｗが右貯水部３２Ｒと下部貯水空間３０に供給される過程で、便器給水路５１内の洗浄水Ｗが、水抜き流路６０内をオーバーフロー用排水路４０に向かって流動することが懸念される。しかし、本実施例１では、オーバーフロー用排水路４０における水抜き流路６０との連通位置（つまり、水抜き流路６０の一部）である水抜き用流入口６１を、上部貯水空間３４の満水時の設定貯水位Ｌａよりも高い位置に配置している。したがって、その洗浄水Ｗは、上部貯水空間の満水時の設定貯水位Ｌａと同じ高さに到達した時点で、それ以上の流動を停止する。したがって、便器給水路５１内の洗浄水Ｗがオーバーフロー用排水路４０へ排出されることはない。
【００４６】
＜実施例２＞
次に、本発明を具体化した実施例２を図７を参照して説明する。本実施例２の便器洗浄タンクＢは、空気抜き流路７０と水抜き流路７２を上記実施例１とは異なる構成としたものである。その他の構成については上記実施例１と同じであるため、同じ構成については、同一符号を付し、構造、作用及び効果の説明は省略する。
【００４７】
本実施例２の便器洗浄タンクＢは、実施例１の便器洗浄タンクＡと同様、空気抜き流路７０の下流端が、上部貯水空間３４の外壁部を貫通し、空気抜き用流入口７１としてオーバーフロー用流入室４１内に直接臨むように接続されている。しかし、実施例１の便器洗浄タンクＡでは、空気抜き用流入口４８の高さを上部貯水空間３４の満水時の設定貯水位Ｌａよりも高い位置に設定したのに対し、本実施例２の便器洗浄タンクＢでは、空気抜き用流入口７１を、上部貯水空間３４の満水時の設定貯水位Ｌａよりも低い位置に設定した。そして、空気抜き流路７０のうち空気抜き用流入口７１よりも上流側の経路の一部７０Ｈを、上部貯水空間３４の満水時の設定貯水位Ｌａよりも高い位置に設定した。
【００４８】
このように、空気抜き流路７０の一部７０Ｈを、上部貯水空間３４の満水時の設定貯水位Ｌａよりも高い位置に配置すれば、右貯水部３２Ｒ内の洗浄水Ｗが、空気抜き流路７０内をオーバーフロー用排水路４０に向かって流動しても、その洗浄水Ｗは、上部貯水空間３４の満水時の設定貯水位Ｌａと同じ高さに到達した時点で、それ以上の流動を停止する。したがって、本実施例２においても、右貯水部３２Ｒ内の洗浄水Ｗがオーバーフロー用排水路４０へ排出されることはない。
【００４９】
また、本実施例２の便器洗浄タンクＢは、実施例１の便器洗浄タンクＡと同様、水抜き流路７２の下流端が、上部貯水空間３４の外壁部を貫通し、水抜き用流入口７３としてオーバーフロー用流入室４１内に直接臨むように接続されている。しかし、実施例１の便器洗浄タンクＡでは、水抜き用流入口６１の高さを上部貯水空間３４の満水時の設定貯水位Ｌａよりも高い位置に設定したのに対し、本実施例２の便器洗浄タンクＢでは、水抜き用流入口７３を、上部貯水空間３４の満水時の設定貯水位Ｌａよりも低い位置に設定した。そして、水抜き流路７２のうち水抜き用流入口７３よりも上流側の経路の一部７２Ｈを、上部貯水空間３４の満水時の設定貯水位Ｌａよりも高い位置に設定した。
【００５０】
このように、水抜き流路７２の一部７２Ｈを、上部貯水空間３４の満水時の設定貯水位Ｌａよりも高い位置に配置すれば、水抜きポンプ６２の内部が通水自由な状態になった場合に、洗浄水Ｗが右貯水部３２Ｒと下部貯水空間３０に供給される過程で、便器給水路５１内の洗浄水Ｗが、水抜き流路７２内をオーバーフロー用排水路４０に向かって流動しても、その洗浄水Ｗは、上部貯水空間３４の満水時の設定貯水位Ｌａと同じ高さに到達した時点で、それ以上の流動を停止する。したがって、便器給水路５１内の洗浄水Ｗがオーバーフロー用排水路４０へ排出されることはない。
【００５１】
＜他の実施例＞
本発明は上記記述及び図面によって説明した実施例に限定されるものではなく、例えば次のような実施例も本発明の技術的範囲に含まれる。
（１）上記実施例１，２では、下部貯水空間の右貯水部の上端の位置を、便鉢部の上端よりも低い位置に設定したが、右貯水部の上端の位置は、便鉢部の上端と同じ高さでもよく、便鉢部の上端より高い位置に設定してもよい。
（２）上記実施例１，２では、オーバーフロー用排水路を上部貯水空間の外壁の内側に配置したが、オーバーフロー用排水路は、上部貯水空間の外壁よりも外側に配置してもよい。この場合、オーバーフロー用排水路の上端は、上部貯水空間の外壁を貫通する形態で開口させればよい。
（３）上記実施例１，２では、タンク給水路に接続される給水口を、上部貯水空間内に設けたが、給水口は、下部貯水空間に設けてもよい。
【符号の説明】
【００５２】
Ａ…便器洗浄タンク
Ｌａ…満水時の設定貯水位
Ｗ…洗浄水
３０…下部貯水空間
３４…上部貯水空間
４０…オーバーフロー用排水路
４７…空気抜き流路
５０…洗浄ポンプ
５１…便器給水路
６０…水抜き流路
６２…水抜きポンプ
Ｂ…便器洗浄タンク
７０…空気抜き流路
７２…水抜き流路
【図１】
2014114636.tif 000003
【図２】
2014114636.tif 000004
【図３】
2014114636.tif 000005
【図４】
2014114636.tif 000006
【図５】
2014114636.tif 000007
【図６】
2014114636.tif 000008
【図７】
2014114636.tif 000009